(57)【要約】【課題】軽量で作業の邪魔にならず、効果的に後頭部及びうなじ部を冷却可能な頭部冷却装置を提供する。【解決手段】頭部を覆って保護する外帽に装着し、装置内部にはモーターと一体化されたファン、電池及びインバーターを有し、内蔵されたモーターファンにより、後頭部及びうなじ部に冷風を送ることが可能である。【選択図】図１
2007016376.tif 000002
【特許請求の範囲】
【請求項１】
頭部を覆って保護する外帽に装着する頭部冷却装置であって、装置内部にはモーターと一体化されたファン、電池及びインバーターを有し、内蔵されたモーターファンにより頭部またはうなじ部に冷風を送ることを特徴とする頭部冷却装置。            
【請求項２】
前記装置内部にあるインバーターは、前記装置重量軽減のため、電池本数を減らしても電圧を増圧できる装置であることを特徴とする請求項１記載の頭部冷却装置。
【請求項３】
後頭部及びうなじも冷却できるように、可変式送風板を持つ前記装置が、外帽後部に取り付けられたことを特徴とする請求項１又は請求項２記載の頭部冷却装置。
【請求項４】
前記装置は、前記外帽に取り付け・取り外しが可能であり且つ、角度調整が可能である事を特徴とする請求項１、請求項２、又は請求項３記載の頭部冷却装置。
【請求項５】
前記外帽は、ヘルメット又は帽子であることを特徴とする請求項１から請求項４のいずれか１項に記載の頭部冷却装置。   
【発明の詳細な説明】
【技術分野】
【０００１】
本発明は、熱中症を予防するための頭部冷却装置に関するものである。
【背景技術】
【０００２】
夏期の炎天下での屋外作業は体温の上昇を招き、特に頭部の温度上昇は熱中症の原因と
なる。熱中症は死に至ることもあり、工事現場や建築現場では作業者のみならず管理者も
絶えず注意している。
【０００３】
そこで、熱中症を防止するために頭部を冷却するためのアイデアが種々提案されている
例えば、ヘルメットに取り付けられた太陽電池により発電し、その電力によりヘルメット頭頂部のファンを回して換気することが提案されている。（例えは、特許文献１参照）
【０００４】
又、太陽電池セルは高価であるためヘルメットのコストが大変高額となり、しかも太陽電池セルはガラスでできているので破損しやすく、工事現場等で使用することは事実上困難であり、却って危険でもある。   
【０００５】
更に太陽電池セルの重量は大きいためヘルメット自体の重量が大きくなり、ヘルメット着用者の首への負担がおおきくなる。又、通常の帽子の前側ツバ部に取り付けるようにしている。(例えは、特許文献２参照)
【０００６】
ヘルメット内にファンを設け、腰に装着したタンクから冷却剤をファン近傍に導き、ファンの力により冷却剤をヘルメット内に噴霧するアイデアが示されている。（例えは、特許文献３参照）
【特許文献１】特開２００１−１７２８１６号公報
【特許文献２】特開２００３−０４９３１７号公報
【特許文献３】特開平８−１００３２０号公報
【発明の開示】
【発明が解決しようとする課題】
【０００７】
ヘルメット内を換気してヘルメット内の熱こもりを解消することを目指しているが、太陽電池の発電効率は良くないため、ヘルメットの一部に装着した程度ではファンが十分に回転できるだけの電力を供給することが難しい。しかもヘルメットは半球形であるため、全ての太陽電池セルに直射日光が当たるようにするのは困難である。
【０００８】
その大きさ、構造から見て相当の重量となり、又バランスも悪く、帽子着用者の首への負担が大きくなる。したがって、そのような重いヘルメットは作業に適さないし、帽子も通常かぶるのには適さない。
【０００９】
冷却剤を頭部に導くホースが邪魔になって作業がし難く、ホースが周囲の機器や設備に引っかかる可能性があるので工事現場では危険である。
【００１０】
そこで本発明は軽量で作業の邪魔にならず、効果的に後頭部及びうなじを冷却可能な頭部冷却装置を提供することを課題とする。
【課題を解決するための手段】
【００１１】
本発明の請求項１記載の頭部冷却装置は、頭部を覆って保護する外帽に装着する装置であり、装置内部にはモーターと一体化されたファン、電池及びインバーターを有し、内蔵されたモーターファンにより後頭部及びうなじ部に冷風を送ることを特徴とする。
【００１２】
これによれば、外帽に装着したモーターファンにより冷風を送り、後頭部及びうなじ部を冷却することができる。又、装置自体が小さく（約7cm×10cm×3cm）軽量（約150g）で外部にもあまり突出しないため、長時間の着用に適し、作業の妨げともなりにくい。
【００１３】
請求項２記載の装置内部にあるインバーターは、前記装置重量軽減のため、電池本数を減らしても電圧を増圧できる装置あることを特徴とする。
【００１４】
これによれば、装置が小さく軽量であるため、作業の妨げにならず、快適に作業を行うことができる。
【００１５】
請求項３及び４記載の頭部冷却装置は、後頭部及びうなじも冷却できるように、外帽後部に取り付け、可変式送風板を持つことを特徴とする。又、外帽に取り付けアタッチメントを取り付け、そこに取り付けガスケットを装着して、角度調整・取り付け・取り外しが可能であることを特徴とする。
【００１６】
これによれば、熱中症対策として効果のある、後頭部及びうなじ部を冷却することが出来又、取り付け位置が外帽後部であるため、バランスもよく、作業の支障にはならない。又取り付け・取り外しが可能であるため、気温・湿度に応じて使用ができる。
【００１７】
請求項５記載の頭部冷却装置は、請求項１〜請求項４の装置において、外帽はヘルメット又は帽子であることを特徴とする。
【発明の効果】
【００１８】
本発明の頭部冷却装置を用いれば、効果的に後頭部及びうなじが冷却可能となるため、夏期の屋外作業環境を改善し、熱中症を有効に防止することができる。しかも、軽量で作業の邪魔にならないため、作業効率を悪化させることもない。
【発明を実施するための最良の形態】
【００１９】
以下、本発明を好適な実施例を用いて説明する。
【実施例１】
【００２０】
図１は本実施例の頭部冷却装置の構造図であり、図２は、ヘルメットに装着した図である。
【００２１】
外側に位置するヘルメット１は、頭部を外部からの衝撃から守るため硬質となっており、硬質な合成樹脂、FRP、又は金属等が用いられる。本実施例では外帽として、合成樹脂製のヘルメットを使用した。
【００２２】
取り付けアタッチメント２は、頭部冷却装置とヘルメットを連結するものであり、材質はアルミ合金とし、ヘルメット後頭部に接着させる。取り付け位置は、頭部冷却装置からの冷気風に合わせて、好適な部位に取り付けることができる。
【００２３】
クーラー取り付けガスケット３及びガスケットカバー４は、取り付けアタッチメント２にはめ込んで頭部冷却装置を固定するものであるが、クーラー取り付けガスケット３の材質は硬質ゴムとし、頭部冷却装置の角度調整が可能である。それにより、冷気風の当たる範囲を変えられるため、快適に作業を行うことが出来る。
【００２４】
本体カバー５は、ヘルメットカバー全体を覆うものであり、「００２２」のガスケットカバー４と一体化している。材質は、プラスチック系樹脂もしくはアルミ材とし、軽量化を図っている。尚、電源を収納するために、上面が開閉可能となっている。
【００２５】
本体カバー５内に乾電池１．５Ｖ６を２個直列に配線する。又、乾電池は、本体カバーの上部を開閉して交換することが出来る。
【００２６】
小型モーター付きファン９は、冷気を後頭部及びうなじ部に送風するためのものであり、約60mm×60mm×10mm  と小型で軽量である。小型モーターファン９は、直流12V  1.0A程度の能力を有するものであり本体カバー内に内蔵されており、取り扱い上も安全である。
【００２７】
可変式送風板７は、小型モーター付きファンから送風された冷気を、後頭部及びうなじ部に誘導するための送風孔であり、吸出し口後部は、後頭部及びうなじ部に冷気が十分に行き渡るように湾曲させている。
【００２８】
利用の仕方としては、作業者が個人的に購入して使用するのも一つの方法であるが、作業現場での全作業員の健康を守ると言う点では、実際に工事を行う会社や工事請負会社がまとめて購入し、入場している職員及び作業員に配給すれば、現場の労働条件を改善することが出来、又、ひいては建設業界全体のイメージアップにもつながる。
【実施例２】
【００２９】
基本構成は、実施例１と同様であるが、乾電池は消耗してくる。そのため、最も効率の良かった、単３電池２本を使用する。
【産業上の利用可能性】
【００３０】
土木現場や建築現場で用いるヘルメット用として説明したが、他の用途で用いられるヘルメットや帽子に利用しても良い。例えば、熱帯地方での探検や、リゾートに用いるヘルメットや帽子、軍用のヘルメット、スポーツ競技のヘルメット、自転車やバイク用のヘルメット、自転車レース用のヘルメット、製鉄所等の高温工場でのヘルメットに利用することが出来る。
【００３１】
更にヘルメット以外で、通常の帽子にも利用可能である。つまり、取り付けアタッチメントを、帽子用として取り付け、それに頭部冷却装置本体を装着するようにすれば良い。この場合、帽子は硬質ではないので、衝撃から保護するという効果は弱くなるが、頭部を覆って直射日光から後頭部及びうなじ部を保護するという効果は期待できる。
【図面の簡単な説明】
【００３２】
【図１】頭部冷却装置の構造図
【図２】頭部冷却装置の装着図
【符号の説明】
【００３３】
１  ヘルメット（外帽）
２  取り付けアタッチメント
３  クーラー取り付けガスケット（角度調整可）
４  ガスケットカバー
５  本体カバー
６  乾電池  1.5Ｖ  ２個直列
７  可変式送風板
８  インバーター
９  小型モーター付きファン
１０  送風口
１１  スイッチ
【図１】
2007016376.tif 000003
【図２】
2007016376.tif 000004